(57)【要約】【課題】媒体発行のための１つの搬送路に複数の連続媒体を供給する媒体発行装置において、複数の媒体セット部を設けても、設置スペースの増加を少なくする。【解決手段】第１の媒体セット部（８ａ）と第２の媒体セット部（８ｂ）とを並列に設置し、且つ第２の媒体セット部（８ｂ）にセットされた連続媒体を、第１の媒体セット部（８ａ）の上又は下部に設けられた発行ユニット（１ｂ）の搬送路にスムーズに導くため、連続媒体を斜めにねじるようにガイドし、装置の媒体吸入部へ導くガイド機構（５０〜５８）を設けた。【選択図】図２
2005346195.tif 000002
【特許請求の範囲】
【請求項１】
媒体セット部から連続媒体をフィードし、カットした後、カットした媒体に記録を行い、媒体を発行する媒体発行装置において、
吸入口から吸入された前記連続媒体を搬送路上で、カットし、カットされた媒体に記録を行い、発行する媒体発行ユニットと、
前記媒体セット部から前記連続媒体を前記吸入口へガイドする媒体供給ユニットとを有し、
前記媒体供給ユニットは、
前記媒体発行ユニットの搬送路の上又は下のいずれかに設置された第１の媒体セット部と、
前記一方の媒体セット部と並列に設置された第２の媒体セット部と、
前記第１の媒体セット部からの連続媒体を前記吸入口にガイドするとともに、前記第２の媒体セット部からの連続媒体を前記吸入口に斜めにねじるようにガイドするガイド機構とを有する
ことを特徴とする媒体発行装置。
【請求項２】
前記ガイド機構は、前記第１の媒体セット部からの連続媒体を前記吸入口に一方の側に沿ってガイドするとともに、前記第２の媒体セット部からの連続媒体を前記吸入口に他方の側に沿って斜めにねじるようにガイドするガイド部材を有する
ことを特徴とする請求項１の媒体発行装置。
【請求項３】
前記ガイド部材は、
前記第１の媒体セット部からの連続媒体を前記吸入口に一方の側に沿ってガイドするとともに、前記第２の媒体セット部からの連続媒体を前記吸入口に他方の側に沿ってガイドする第１のガイド部材と、
前記第１のガイド部材と連携して、前記第２の媒体セット部からの連続媒体を前記吸入口に他方の側に沿って斜めにねじるようにガイドする第２のガイド部材を有する
ことを特徴とする請求項１の媒体発行装置。
【請求項４】
前記ガイド機構は、
前記第２のガイド部材の他方の側において、前記第２のガイド部材と連携して、前記第２の媒体セット部からの連続媒体を前記吸入口に他方の側に沿って斜めにねじるようにガイドする第３のガイド部材を更に有する
ことを特徴とする請求項３の媒体発行装置。
【請求項５】
前記ガイド機構は、
前記吸入口近傍で、前記第１のガイド部材と連携して、前記連続媒体の通路を規制する第４のガイド部材を更に有する
ことを特徴とする請求項３の媒体発行装置。
【請求項６】
前記吸入口は、
前記第１の媒体セット部からの連続媒体を吸入する第１の吸入口と、
前記第２の媒体セット部からの連続媒体を吸入する第２の吸入口とを有し、
前記第４のガイド部材は、
前記第１の吸入口近傍で、前記第１のガイド部材と連携して、前記第１の媒体セット部からの連続媒体の通路を規制する第５のガイド部材と、
前記第２の吸入口近傍で、前記第１のガイド部材と連携して、前記第２の媒体セット部からの連続媒体の通路を規制する第６のガイド部材とを有する
ことを特徴とする請求項５の媒体発行装置。
【請求項７】
前記ガイド機構は、
前記第１のガイド部材と連携して、前記戻された連続媒体を前記第１の媒体セット部へガイドするための第７のガイド部材を更に有する
ことを特徴とする請求項３の媒体発行装置。
【請求項８】
前記ガイド機構は、
前記第２のガイド部材と連携して、前記戻された連続媒体を前記第２の媒体セット部へガイドするための第８のガイド部材を更に有する
ことを特徴とする請求項３の媒体発行装置。
【請求項９】
前記媒体供給ユニットが、前記媒体発行ユニットの上に設置された
ことを特徴とする請求項１の媒体発行装置。
【請求項１０】
前記第１の媒体セット部は、前記媒体発行ユニットに対し、斜めに前記連続媒体をセットする構成を有する
ことを特徴とする請求項１の媒体発行装置。
【発明の詳細な説明】
【技術分野】
【０００１】
本発明は、連続媒体をカットし、そのカット媒体に記録等の処理を行い、発行する媒体発行装置に関し、特に、大量に発券する又は複数種類の媒体を使用する場合に、データが記録された券を発行するのに好適な媒体発行装置に関する。
【背景技術】
【０００２】
近年の自動処理技術の進展に伴い、搭乗券や乗車券等の券類の発行を発行する自動発行装置が利用されている。このような発行された券類を自動処理するため、券類に、印字の他に、磁気データ等の読み取り可能なデータを記録することが行われている。
【０００３】
この要求により、自動発行装置は、磁気データ領域を持つ券類の媒体を使用し、この媒体に、データ（例えば、搭乗券では、搭乗日、搭乗便名、出発時間、座席位置、搭乗者名等）を記録し、且つ視認可能にこれらを印字して、発行する。近年、この自動発行装置で、複数種類の券類（例えば、各航空会社の券類）を取り扱う要求がある。
【０００４】
図１４及び図１５は、従来の媒体発行装置の説明図であり、図１４は、上面図であり、図１５は、その横面図である。図１４及び図１５に示すように、発行する券は、金券と同じため、収容用紙は、カット紙ではなく、ファンフォールド連続紙１００を使用する。ここでは、各々ファンフォールド連続紙１００を格納する収容箱１１０、１１２を示す。自動発行装置１２２の媒体吸入口１３０に、発行すべき券のファンフォールド連続紙が導かれる。
【０００５】
自動発行装置１２２は、例えば、机１２０の上に設けられ、導かれた媒体をフィードし、図示しないカッタで、分離して、カット券にする。その後、磁気記録部１２４が、カット券にデータを磁気記録し、印字部１２６で印字して、排出口１２８へ送り出す。
【０００６】
このように、航空券などの券類を自動発行する装置においては、大量発券を行う場合、または、複数種類の媒体を使用する場合などでは、装置１２２に複数箱１１０、１１２の媒体をセットする。そして、これらの媒体は、すべて媒体吸入口（搬送路）１３０と平行に、かつ、その延長線上に置かれていた。即ち、図１４及び図１５のように、装置の下方に、媒体吸入口（搬送路）１３０と平行に、かつ、その延長線上に置かれるものや（例えば、特許文献１参照）、装置の上方に、同様に置かれるものであった（例えば、特許文献２参照）。
【特許文献１】特開平５−３１４３３３号公報(図１）
【特許文献２】特開平９−０６９１７２号公報(図１）
【発明の開示】
【発明が解決しようとする課題】
【０００７】
しかしながら、従来の装置の下方又は上方に、媒体を収容した収容箱を、直列に複数設置する方法では、装置の奥行き方向（図１４の横方向）に、充分な長さを持たせる必要がある。このため、装置の奥行き方向の長さが長くなり、発行装置の設置面積が大きくなり、装置の運用に広い空間が必要となる。又、装置自体のコンパクト化の阻害となる。
【０００８】
従って、本発明の目的は、複数の媒体収容部を設けても、装置の運用スペースの増加を防止するための媒体発行装置を提供することにある。
【０００９】
又、本発明の他の目的は、複数の媒体収容部を設けても、装置自体をコンパクトにするための媒体発行装置を提供することにある。
【００１０】
更に、本発明の更に他の目的は、複数の媒体収容部を設け、装置の運用スペースの省スペース化しても、媒体の相互干渉や変形を防止するための媒体発行装置を提供することにある。
【課題を解決するための手段】
【００１１】
この目的の達成のため、本発明の媒体発行装置は、媒体セット部から連続媒体をフィードし、カットした後、カットした媒体に記録を行い、媒体を発行する媒体発行装置において、吸入口から吸入された前記連続媒体を搬送路上で、カットし、カットされた媒体に記録を行い、発行する媒体発行ユニットと、前記媒体セット部から前記連続媒体を前記吸入口へガイドする媒体供給ユニットとを有し、前記媒体供給ユニットは、前記媒体発行ユニットの搬送路の上又は下のいずれかに設置された第１の媒体セット部と、前記一方の媒体セット部と並列に設置された第２の媒体セット部と、前記第１の媒体セット部からの連続媒体を前記吸入口にガイドするとともに、前記第２の媒体セット部からの連続媒体を前記吸入口に斜めにねじるようにガイドするガイド機構とを有する。
【００１２】
本発明では、連続媒体を並列設置し、運用スペースの省スペース化を実現するとともに、このように並列設置しても、第２の媒体セット部にセットされた連続媒体を、第１の媒体セット部の上又は下部に設けられた発行ユニットの搬送路にスムーズに導くため、連続媒体を斜めにねじるようにガイドし、装置の媒体吸入部へ導くガイド機構を設けた。
【００１３】
本発明では、好ましくは、前記ガイド機構は、前記第１の媒体セット部からの連続媒体を前記吸入口に一方の側に沿ってガイドするとともに、前記第２の媒体セット部からの連続媒体を前記吸入口に他方の側に沿って斜めにねじるようにガイドするガイド部材を有する。
【００１４】
本発明では、好ましくは、前記ガイド部材は、前記第１の媒体セット部からの連続媒体を前記吸入口に一方の側に沿ってガイドするとともに、前記第２の媒体セット部からの連続媒体を前記吸入口に他方の側に沿ってガイドする第１のガイド部材と、前記第１のガイド部材と連携して、前記第２の媒体セット部からの連続媒体を前記吸入口に他方の側に沿って斜めにねじるようにガイドする第２のガイド部材を有する。
【００１５】
本発明では、好ましくは、前記ガイド機構は、前記第２のガイド部材の他方の側において、前記第２のガイド部材と連携して、前記第２の媒体セット部からの連続媒体を前記吸入口に他方の側に沿って斜めにねじるようにガイドする第３のガイド部材を更に有する。
【００１６】
本発明では、好ましくは、前記ガイド機構は、前記吸入口近傍で、前記第１のガイド部材と連携して、前記連続媒体の通路を規制する第４のガイド部材を更に有する。
【００１７】
本発明では、好ましくは、前記吸入口は、前記第１の媒体セット部からの連続媒体を吸入する第１の吸入口と、前記第２の媒体セット部からの連続媒体を吸入する第２の吸入口とを有し、前記第４のガイド部材は、前記第１の吸入口近傍で、前記第１のガイド部材と連携して、前記第１の媒体セット部からの連続媒体の通路を規制する第５のガイド部材と、前記第２の吸入口近傍で、前記第１のガイド部材と連携して、前記第２の媒体セット部からの連続媒体の通路を規制する第６のガイド部材とを有する。
【００１８】
本発明では、好ましくは、前記ガイド機構は、前記第１のガイド部材と連携して、前記戻された連続媒体を前記第１の媒体セット部へガイドするための第７のガイド部材を更に有する。
【００１９】
本発明では、好ましくは、前記ガイド機構は、前記第２のガイド部材と連携して、前記戻された連続媒体を前記第２の媒体セット部へガイドするための第８のガイド部材を更に有する。
【００２０】
本発明では、好ましくは、前記媒体供給ユニットが、前記媒体発行ユニットの上に設置された。
【００２１】
本発明では、好ましくは、前記第１の媒体セット部は、前記媒体発行ユニットに対し、斜めに前記連続媒体をセットする構成を有する。
【００２２】
本発明では、好ましくは、前記第２の媒体セット部は、前記媒体発行ユニットに対し、平行に前記連続媒体をセットする構成を有する。
【００２３】
本発明では、好ましくは、前記第１及び第２の媒体セット部は、ミシン目で分離可能なファンフォールド連続媒体を収容する。
【００２４】
本発明では、好ましくは、前記媒体発行ユニットは、前記吸入口とカッタを有する繰り出し機構と、前記カットされた媒体に記録を行う記録機構と、前記記録された媒体を排出する排出機構とが、前記搬送路に配置されて構成された。
【００２５】
本発明では、好ましくは、前記繰り出し機構は、複数の吸入口と、前記複数の吸入口から共通の搬送路に前記連続媒体を導く通路と、前記共通の搬送路に設けられた前記カッタと、前記通路で、前記連続媒体をフィードし、且つ保持する搬送部材とを有する。
【発明の効果】
【００２６】
本発明では、連続媒体を並列設置し、運用スペースの省スペース化を実現するとともに、このように並列設置しても、第２の媒体セット部にセットされた連続媒体を、第１の媒体セット部の上又は下部に設けられた発行ユニットの搬送路にスムーズに導くため、連続媒体を斜めにねじるようにガイドし、装置の媒体吸入部へ導くガイド機構を設けた。
【発明を実施するための最良の形態】
【００２７】
以下、本発明の実施の形態を、媒体発行装置、媒体発行機構、媒体並列設置機構、他の実施の形態の順で説明する。
【００２８】
［媒体発行装置］
図１は、本発明の一実施の形態の媒体発行装置の外観図、図２は、図１の媒体発行装置の内部構成図、図３は、図１の媒体発行装置の上面図、図４は、図１の媒体発行装置の横面図である。
【００２９】
図１乃至図４は、媒体発行装置として、航空券やバッグ券を発行する自動券発行装置を例に示す。図１に示すように、自動券発行装置１は、カウンタ台に置かれ、ファンフォールド連続紙の収容箱を収容する上部１ａと、媒体搬送路で媒体を搬送しながら、発行動作を行う下部１ｂとを有する。自動券発行装置１の下部１ｂの前面には、動作状態を表示するインヂケータ群２と、操作のための入力キー群３と、排出スタッカ４と、券挿入口５とが設けられている。一方、上部１ａには、開放取っ手９が設けられている。この開放取っ手９の操作により、上部（カバー）１ａは、図１の蝶番部１ｃを回転軸に、上方に開放できる。
【００３０】
図２及び図３の装置上部の内部構成図及び上面図及び後述する図６、図７及び図１３に示すように、ファンフォールド連続紙７ａ，７ｂを収容した収容箱１０、１１をセットする収容箱セット部８ａ，８ｂが、装置前面に対し、並列に設けられる。即ち、第１の収容箱１０のセット部８ａは、図２及び図３に示すように、装置下部（発行ユニット）１ｂの媒体の排出スタッカ５に至る幅Ｗの媒体搬送路上に設ける。一方、第２の収容箱１１のセット部８ｂは、装置下部１ｂのインヂケータ群２、入力キー群３と図示しない回路ユニットが設けられた部分の上に設ける。
【００３１】
即ち、従来のような直列の媒体設置ではなく、デッドスペースを有効利用した媒体設置を実現するため、図２及び図３に示すように、媒体１０、１１を並列設置し、運用スペースの省スペース化を実現する。
【００３２】
このように並列設置すると、図２及び図３に示すように、第２のセット部８ｂにセットされた収容箱１１内のファンフォールド連続紙７ｂを、第１のセット部８ａの下部に設けられた発行ユニットの搬送路に導く必要がある。この方法として、並列設置した媒体（収容箱）１０、１１を、横方向にスライドさせるような機構を追加することが考えられるが、このような構成を採用すると、構造が複雑化し、且つ部品点数が増加し、コストの増加を招く。
【００３３】
このため、詳細は、後述するが、媒体７ｂを斜めにねじるようにガイドし、これを装置の媒体吸入部へ導く。このためのガイド機構５０、５２、５３、５４、５６、５８を設ける。このガイド機構５０〜５８、特に、ガイド板５０、５６、ガイド棒５２、５３は、媒体７ｂを斜めに供給することによる変形、ミシン目での切断や、並列に設置した媒体が相互に干渉すること、それを原因とするミシン目での切断、ジャム、吸入する媒体のスキューなどのないようにガイドする。
【００３４】
更に、一旦吸入した媒体を戻し方向に搬送するような場合や、吸入口に長時間保持される場合の媒体の変形（カール）防止などの対策のため、ガイド５０、５２、５４、５６、５８を設ける。
【００３５】
即ち、２つの媒体箱を並列に且つ装置上に置く媒体の並列設置と、斜め供給とにより、運用時の省スペースを図ることを目的とする。より詳細に説明すると、媒体箱の一方１０は、従来通り、装置の搬送路と同列上に、もう一方１１は、搬送路及び媒体箱１０と並列に設置し、且つ装置吸入口１４に向かって、媒体を傾けて、斜めに且つねじるようにガイドすることによって、媒体を供給する。
【００３６】
図４により、媒体発行装置１の全体を説明する。図４に示すように、並んで設置された一対のセット部８ａ，８ｂに、各々ファンフォールド連続紙を収容した収容箱１０、１１がセットされる。この例では、更に、第１のセット部８ａを、右斜め方向に斜面を持って形成し、収容箱１０を斜めに収容する。これにより、２段分の収容箱１０の収容を可能としている。
【００３７】
各収容箱１０、１１のファンフォールド連続紙７ａ，７ｂは、後述するガイド機構５０〜５８を介して、装置下部１ｂの自動発行ユニットの繰り出し機構１４に導かれる。
【００３８】
繰り出し機構１４は、発行すべき券のファンフォールド連続紙をフィード（吸入）し、カッタ１６で、分離して、カット券にする。この場合、発行券は、金券の一種であり、偽造防止などの目的のため、ミシン目で連続された各券には、券の管理番号を記録してあるものがある。
【００３９】
カットされた券は、リング搬送機構６により、往復搬送されながら、単一の磁気ヘッド２４でデータを磁気記録され、その後、磁気ヘッド２４で、リードし、照合される。照合結果が良好であれば、搬送ローラ４０を介し熱転写印字ヘッド１８ｂで、券に印字を行い、図示しないゲートを介し排出ローラ４４で、排出スタッカ４に排出される。一方、磁気データの照合不一致の券は、印字されず、図示しないゲートにより、リジェクトされ、スイッチバックローラ４２を介してリジェクトボックス２２に収容される。
【００４０】
リング搬送機構６は、回転支点を持たない円柱上のリング６０と、リング６０の周囲を囲むように設けられた搬送ベルト６２、６４、６６とで構成される。搬送ベルト６２、６４、６６によって、円柱状リング６０を保持し、且つ搬送ベルト６２、６４、６６の駆動により、円柱状リング６０を回転する。これにより、このリング６０とベルト６２、６４、６６との間に挟んだ媒体を、リング６０の外周（軌跡）に沿って、リング６０と一緒に搬送する。
【００４１】
このとき、リング６０を、搬送ベルトで保持して、回転するためには、リング６０のバランスを取る必要がある。このため、複数の搬送ベルト６２、６４、６６を、リング６０の外周に沿って均等に配置する。図４のように、３つの搬送ベルト６２、６４、６６を均等に配置すると、リング６０の左右、上下のバランスをとって、安定に保持、且つ回転できる。
【００４２】
この搬送ベルト６２、６４、６６は、リング６０の駆動（媒体搬送）と媒体のガイドを兼用する。このため、ベルト搬送と同様に、媒体をしっかり保持して、搬送でき、媒体ジャムが生じることを防止できる。このように、媒体を、ベルト６２、６４、６６とリング６０とによって保持した場合、変形媒体の搬送を安定にできる。また、ガイドの削除や回転支点が不要なことにより、部品数の削減、機構の簡素化が可能になる。
【００４３】
図４において、繰出機構部１４で、吸入され、カッタ１６でカットされた媒体は、リング搬送部６まで搬送される。リング搬送部６は、リング６０と平ベルト６２、６４、６６によって、媒体を挟み、リング６０の外周上を、円軌道を描き回転搬送する。このときの回転方向と、ゲート２６、３６の位置（設定）により、排出機構部より次ユニットへ搬送される。
【００４４】
［媒体発行機構］
次に、装置下部１ｂの媒体発行機構を詳細に説明する。図５は、図４の構成における媒体発行機構の詳細な構成図であり、図５において、図４で示したものと同一のものは、同一の記号で示してある。繰り出し機構１４は、一対の挿入ガイド（吸入口）３０、３１と、一対の繰り出しローラ３２、３３と、繰り出しローラ３２、３３の駆動モータ３４と、カッタ１６とで構成される。
【００４５】
リング搬送機構６は、回転支点を持たない円柱状のリング６０と、リング６０の周囲を囲むように設けられた搬送ベルト６２、６４、６６とで構成される。第１の搬送ベルト６２は、駆動プーリ７５と一対の従動プーリ７６ａ，７６ｂに平ベルトを設けて構成される。同様に、第２の搬送ベルト６４は、駆動プーリ７０，及び一対の従動プーリ７１，７２に平ベルトを設けて構成される。第３の搬送ベルト６６は、駆動プーリ７３及び従動プーリ７４に平ベルトを設けて構成される。
【００４６】
搬送ベルト６２，６４，６６は、円柱状リング６０内に設けられた駆動モータ９０により駆動される。これら搬送ベルト６２，６４，６６によって、円柱状リング６０を保持し、且つ駆動モータ９０により駆動される搬送ベルト６２、６４、６６の駆動により、円柱状リング６０を回転する。これにより、このリング６０とベルト６２、６４、６６との間に挟んだ媒体を、リング６０の外周（軌跡）に沿って、リング６０と一緒に搬送する。
【００４７】
このとき、リング６０を、搬送ベルトで保持して、回転するためには、リング６０のバランスを取るため、３つの搬送ベルト６２、６４、６６を、リング６０の外周に沿って均等に配置する。又、各ベルト６２，６４，６６は、弾力性があるため、３つの搬送ベルト６２、６４、６６を均等に配置することにより、リング６０の左右、上下のバランスをとって、安定に保持、且つ回転できる。
【００４８】
この搬送ベルト６２、６４、６６は、リング６０の駆動（媒体搬送）と媒体のガイドを兼用する。このため、ベルト搬送と同様に、媒体をしっかり保持して、搬送でき、媒体ジャムが生じることを防止できる。このように、媒体を、ベルト６２、６４、６６とリング６０とによって保持した場合、変形媒体の搬送を安定にできる。また、ガイドの削除や回転支点が不要なことにより、部品数の削減、機構の簡素化が可能になる。
【００４９】
印字機構１８は、サーマルヘッド（印字ヘッド）１８ｂと、サーマルヘッド１８ｂの上下動作用駆動モータ１８ｄと、熱転写リボンカセット１８ａと、熱転写リボンカセット１８ａの駆動モータ１８ｃとで構成されている。搬送ローラ４０は、リング機構６から印字機構１８に券を搬送する。排出ローラ４４は、排出する券をポケット形状の排出スタッカ４に排出する。搬送ローラ４０、排出ローラ４４は、駆動モータ４６で駆動される。
【００５０】
スイッチバックローラ４２は、図４で説明したゲートにより、リジェクトされた券を、いったん右方向に搬送した後、左方向に搬送して、リジェクトボックス２２に収容する。
【００５１】
図５に示すように、リング搬送機構６に、磁気リード／ライト部２４を設け、共通（基本）モジュールとした。また、繰出機構部１４を、装置の使用用途に併せ、複数種類用意（バリエーション）する。そして、繰り出し機構１４と、リング搬送機構６とが連結する。このように、モジュール化することにより、基本部の開発工数削減を図ることができる。
【００５２】
即ち、ドラム状回転体搬送機構に、前後のモジュール／ユニットとの媒体受け渡しなどについて、搬送路の切り替えを、ドラム回転方向により自動選択されるゲート機構を採用し、且つこのゲートを複数箇所設置し、設定（固定／可動）の変更を行う。このことによって、同一ユニットであっても、その配置方向を変えるなどの対応により、たとえば装置の設置条件によって媒体の吸入方向や排出方向を変えるなどの柔軟な対応が可能となる。
【００５３】
次に、図６乃至図９を参照して、リング搬送機構を含む媒体発行装置の動作を説明する。図６乃至図９において、図４乃至図５で示したものと同一のものは、同一の記号で示してある。
【００５４】
図６に示すように、指定されたファンフォールド連続紙７ｂは、繰り出し機構１４により、カッタ１６を経て、リング搬送機構６へ繰り出される。更に、リング搬送機構６の時計方向の回転により、磁気ヘッド２４が、ファンフォールド連続紙７ｂの磁気ストライプ（のページ管理番号等）をリードしながら、券となる部分の後端が、カット位置に到達するまで、搬送された後、連続紙７ｂは、カッタ１６でカットされ、単票（券）Ｔに分離される。
【００５５】
次に、図７に示すように、リング搬送機構６の時計方向の回転により、分離された券Ｔを、券Ｔの先端が、磁気ヘッド２４の近傍に到達するまで搬送する。これをライト待機位置という。この時、カッタ１６でカットされない部分のファンフォール連続紙７ｂは、繰り出し機構１４で、共通搬送路（カッタ１６の搬送路）から退避され、他の連続紙の繰り出しの障害とならないようにする。
【００５６】
更に、図８に示すように、リング搬送機構６の時計方向の回転により、磁気ヘッド２４が、分離された券Ｔの磁気ストライプ（のページ管理番号等）にデータを磁気記録する。リング搬送機構６の時計方向の回転により、券の後端が、磁気ヘッド２４に到達すると、搬送を停止する。
【００５７】
最後に、図９に示すように、リング搬送機構６の反時計方向の回転により、券Ｔの磁気ストライプの磁気記録されデータをリードしながら、搬送され、且つ図示しないゲートにより、券Ｔの先端部が、印字ヘッド１８方向に導かれ、券Ｔの後端が、磁気ヘッド２４を離れると、停止する。これにより、ライトデータが、リードデータと照合される、所謂ベリファイリードを行う。この位置を、ベリファイリード完了位置という。
【００５８】
その後、図５で前述したように、照合結果が良好であれば、券Ｔは、熱転写印字ヘッド１８に搬送され、ヘッド１８で、印字され、ゲートを介し排出スタッカ４に排出される。一方、磁気データの照合不一致の券は、印字されず、ゲートにより、リジェクトされ、リジェクトボックス２２に収容される。又、ファンフォールド連続紙７ａも、同様にして、フィードされ、カットされ、発行される。
【００５９】
［媒体並列設置機構］
次に、図１乃至図４で説明した装置１の上部１ａの媒体並列設置機構を説明する。図１０は、図１の媒体発行装置１の斜視図であり、図１１は、図１の媒体発行装置１のカバー１ａ開放時の斜視図であり、いずれも媒体発行装置１の上部１ａの内部を示す。図１２は、第１のセット部にセットされたファンフォールド連続紙７ａのガイド動作説明図、図１３は、第２のセット部にセットされたファンフォールド連続紙７ｂのガイド動作説明図である。
【００６０】
第１のセット部８ａの収容箱１０の媒体は、装置運用スペースを小さく実現するため、装置の上に配置した。このため、通常の発券動作において、図６に示したように、媒体（ファンフォールド連続紙）７ａは、装置の吸入口３０に吸い込まれる。このとき、媒体７ａは、最初の１枚をミシン目で切り離し、残りはカッタ１６から吸入口３０に戻され、保持される。
【００６１】
この保持される媒体７ａが、箱１０中の媒体の残り枚数によって変化する媒体の可動スペース（図１２の点線内）によって、吸入、保持される時に、急激なカールを描くことがある。これを防止するため、吸入された媒体７ａを跳ね上げるためのガイド棒（第５のガイド）５８を、図１１及び図１２に示すように、第１のセット部８ａ側で、且つ繰り出し機構１４の吸入口３０の近傍に設けた。このガイド棒５８は、後述するガイド棒５２と、媒体７ａの通路を規制する作用も奏する。
【００６２】
後述する第２のセット部８ｂの媒体７ｂとの干渉を防ぐため、ガイド棒（第１のガイド）５２を設けた。このガイド棒５２により、第１のセット部８ａの収容箱１０の媒体７ａが、ガイド棒５２の内側にガイドされ（図１２の矢印参照）、第２のセット部８ｂの媒体７ｂが、ガイド棒５２の外側にガイドされ（図１３の矢印参照）、干渉を防止する。
【００６３】
このため、このガイド棒５２は、図１０乃至図１３に示すように、一端が、繰り出し機構１４の吸入口３０と３１の間に配置され、他端は、第２のセット部８ｂに配置された円弧状のガイドである。
【００６４】
又、吸入口３０に、最初に媒体７ａをセットする場合や、吸入口３０に、媒体７ａがセットされた状態のままで、メカリセットなどの動作を行った場合には、媒体７ａは、一旦吸入されてから元の位置まで戻されようとする。ガイド棒５２は、この媒体（一旦箱から出た媒体）７ａが、後述する媒体７ｂの搬送領域に達するのを防ぎ、また、スペースを制限することで，媒体７ａのミシン目以外の場所での折れ、変形することを防ぐ役割を兼用する。
【００６５】
さらに、この可動スペース内（図１２の点線内）で、媒体の戻り方向に動くフリー状態の媒体が、確実に箱１０の中に折り畳まれて収納されるように、箱１０の入り口上部に、ガイド（第７のガイド）５４を設けた。ガイド５４は、媒体７ａを叩き落すことにより、戻り方向に動くフリー状態の媒体が、確実に箱１０の中に折り畳まれて収納される。
【００６６】
この図１２の可動スペースは、ガイド棒５２と箱１０の中に残る媒体によって、囲まれる領域で、箱１０内の媒体７ａの残り枚数が減ると、その分領域は増えるため、このようなガイド５４は、有効である。
【００６７】
次に、第２のセット部８ｂにセットされた収容箱１１内の媒体７ｂは、装置の搬送路ライン上に設置されないため、これを斜めにガイドして、吸入口３１に対して、まっすぐに供給しなければならない。
【００６８】
ファンフォールド連続紙は、ミシン目で分離できる連続紙であるため、通常の発券時、折り畳まれた媒体のミシン目を斜め方向にねじることによるストレス集中で、ミシン目が切断するおそれがある。これを防止し、媒体７ｂが、装置１の吸入口３１にスムーズに向かっていくように、媒体セット部８ｂを，吸入口３１に向かって、若干斜めに設置した（図３の上面図参照）。
【００６９】
この斜めの程度は、斜めの程度が大きいと、収容箱側での連続紙へのストレスは小さいが、吸入口３１側での戻し量が大きくなり、ミシン目が切断するおそれがあり、若干斜めとすることが有効である。
【００７０】
また、ガイド棒５２と同様に、前述の媒体７ａとの干渉を避けるため、ガイド棒（第２のガイド）５３を設置した。このガイド棒５３は、前述のガイド５２と途中まで、同じ軌跡（円弧）を描き、媒体７ｂは，このガイド５２、５３の上をスライドするように，吸入口３１に導かれる。
【００７１】
次に、媒体７ｂを最初にセットする場合や、前述のメカリセット時に戻ってくる媒体７ｂが、媒体箱１１の方向へ向かって戻るように、斜めにカールしたガイド板５０−ｂ（第３のガイド）を設置した。また、このガイド板５０−ｂと連結したガイド板５６（第６のガイド）と、前述のガイド棒５２、５３とによって、媒体７ｂの通り道幅を規制する構造とした。これによって、重力に逆らって上方向に戻っていく媒体７ｂが、途中で折れることを防ぐ。
【００７２】
また、同じくガイド板５０−ｂと連結したガイド板５０−ａ（第８のガイド）を設置することにより、図１３に示すように、戻ってくる媒体７ｂを叩き落し、ミシン目により折り畳まれて、媒体箱１１上に整列するようにガイドする。図１３に示すように、このガイド板５０−ａに併せて、ガイド棒５３に突起形状部５３−１（第８のガイド）を設け、吸入口３１に向かって繰り出される媒体７ｂを規制する。これにより、戻ってくる媒体７ｂがより折り畳まれやすくなるよう工夫している。
【００７３】
即ち、媒体７ｂが、装置の搬送路ライン上に設置されないため、搬送路の口３１に、媒体７ｂを斜めにガイドして、吸入口３１に真っ直ぐ供給するため、ガイド５０（５０−ｂ）、５３、５６を設けている。更に、１つの搬送路への２つの口３０、３１と各収納箱１０、１１間で、媒体７ａ，７ｂが、干渉しないように、ガイド５２、５３を設け、２つの口３０、３１に媒体７ａ，７ｂが、略垂直に排出入する通路を規制するように、ガイド５０−ｂ、５６、５８を設けた。
【００７４】
更に、戻ってくる媒体７ａ，７ｂが、スムーズに収容箱２に折り畳まれるように、ガイド５４（図１２）と、ガイド５０−ａ，ガイド５３の突起形状部５３−１を設けている。
【００７５】
このガイド５３、５０−ｂ、５２、５６により、媒体７ｂを斜めに供給することによる変形、ミシン目での切断を防止し、ガイド５２、５３、５６、５８により、並列に設置した媒体７ａ，７ｂが相互に干渉することや、それを原因とするミシン目での切断、ジャム、吸入する媒体のスキューなどを防止する。
【００７６】
また、実施の形態の装置のように、一旦吸入した媒体を戻し方向に搬送するような場合や、吸入口に長時間媒体が保持される場合に生じる媒体の変形（カール）を、ガイド５２、５４、５８、５３、５３−１、５０−ａにより、防止する。
【００７７】
更に、図１２に示すように、第１のセット部８ａを斜めに形成し、収容箱１０を斜めにセットするため、収容箱１０の媒体７ａが、ガイド５２の内側を通り易くし、且つ多量のファンフォールド連続紙（例えば、１０００枚）を収納する収納箱１０を、装置の高さを高くせずに、セットできる。
【００７８】
［他の実施の形態］
前述の実施の形態では、媒体発行装置を磁気記録と印字記録するもので説明したが、他の光学等を利用した記録処理を行うものにも適用できる。又、航空券の発行装置で説明したが、乗車券、搭乗券、荷札等の他のカット券類でも良い。更に、券の発行装置に限らず、券類の他の出力装置にも適用できる。
【００７９】
更に、ガイド機構５０〜５８も、媒体の戻り方向の搬送がない場合には、ガイド５４や、ガイド５０−ａ，ガイド５３の突起形状部５３−１は、設けなくても良い。同様に、ファンフォールド連続紙は、紙である必要がなく、要するに連続媒体であれば、良く、印字機構も熱転写記録に限らず、インクジェット記録等を適用できる。
【００８０】
以上、本発明を実施の形態により説明したが、本発明の趣旨の範囲内において、本発明は、種々の変形が可能であり、本発明の範囲からこれらを排除するものではない。
【００８１】
（付記１）媒体セット部から連続媒体をフィードし、カットした後、カットした媒体に記録を行い、媒体を発行する媒体発行装置において、吸入口から吸入された前記連続媒体を搬送路上で、カットし、カットされた媒体に記録を行い、発行する媒体発行ユニットと、前記媒体セット部から前記連続媒体を前記吸入口へガイドする媒体供給ユニットとを有し、前記媒体供給ユニットは、前記媒体発行ユニットの搬送路の上又は下のいずれかに設置された第１の媒体セット部と、前記一方の媒体セット部と並列に設置された第２の媒体セット部と、前記第１の媒体セット部からの連続媒体を前記吸入口にガイドするとともに、前記第２の媒体セット部からの連続媒体を前記吸入口に斜めにねじるようにガイドするガイド機構とを有することを特徴とする媒体発行装置。
【００８２】
（付記２）前記ガイド機構は、前記第１の媒体セット部からの連続媒体を前記吸入口に一方の側に沿ってガイドするとともに、前記第２の媒体セット部からの連続媒体を前記吸入口に他方の側に沿って斜めにねじるようにガイドするガイド部材を有することを特徴とする付記１の媒体発行装置。
【００８３】
（付記３）前記ガイド部材は、前記第１の媒体セット部からの連続媒体を前記吸入口に一方の側に沿ってガイドするとともに、前記第２の媒体セット部からの連続媒体を前記吸入口に他方の側に沿ってガイドする第１のガイド部材と、前記第１のガイド部材と連携して、前記第２の媒体セット部からの連続媒体を前記吸入口に他方の側に沿って斜めにねじるようにガイドする第２のガイド部材を有することを特徴とする付記１の媒体発行装置。
【００８４】
（付記４）前記ガイド機構は、前記第２のガイド部材の他方の側において、前記第２のガイド部材と連携して、前記第２の媒体セット部からの連続媒体を前記吸入口に他方の側に沿って斜めにねじるようにガイドする第３のガイド部材を更に有することを特徴とする付記３の媒体発行装置。
【００８５】
（付記５）前記ガイド機構は、前記吸入口近傍で、前記第１のガイド部材と連携して、前記連続媒体の通路を規制する第４のガイド部材を更に有することを特徴とする付記３の媒体発行装置。
【００８６】
（付記６）前記吸入口は、前記第１の媒体セット部からの連続媒体を吸入する第１の吸入口と、前記第２の媒体セット部からの連続媒体を吸入する第２の吸入口とを有し、前記第４のガイド部材は、前記第１の吸入口近傍で、前記第１のガイド部材と連携して、前記第１の媒体セット部からの連続媒体の通路を規制する第５のガイド部材と、前記第２の吸入口近傍で、前記第１のガイド部材と連携して、前記第２の媒体セット部からの連続媒体の通路を規制する第６のガイド部材とを有することを特徴とする付記５の媒体発行装置。
【００８７】
（付記７）前記ガイド機構は、前記第１のガイド部材と連携して、前記戻された連続媒体を前記第１の媒体セット部へガイドするための第７のガイド部材を更に有することを特徴とする付記３の媒体発行装置。
【００８８】
（付記８）前記ガイド機構は、前記第２のガイド部材と連携して、前記戻された連続媒体を前記第２の媒体セット部へガイドするための第８のガイド部材を更に有することを特徴とする付記３の媒体発行装置。
【００８９】
（付記９）前記媒体供給ユニットが、前記媒体発行ユニットの上に設置されたことを特徴とする付記１の媒体発行装置。
【００９０】
（付記１０）前記第１の媒体セット部は、前記媒体発行ユニットに対し、斜めに前記連続媒体をセットする構成を有することを特徴とする付記１の媒体発行装置。
【００９１】
（付記１１）前記第２の媒体セット部は、前記媒体発行ユニットに対し、平行に前記連続媒体をセットする構成を有することを特徴とする付記１の媒体発行装置。
【００９２】
（付記１２）前記第１及び第２の媒体セット部は、ミシン目で分離可能なファンフォールド連続媒体を収容することを特徴とする付記１の媒体発行装置。
【００９３】
（付記１３）前記第２の媒体セット部は、前記第１の媒体セット部の連続媒体に対し、斜めに前記連続媒体をセットするよう構成されたことを特徴とする付記１の媒体発行装置。
【００９４】
（付記１４）前記媒体発行ユニットは、前記吸入口とカッタを有する繰り出し機構と、前記カットされた媒体に記録を行う記録機構と、前記記録された媒体を排出する排出機構とが、前記搬送路に配置されて構成されたことを特徴とする付記１の媒体発行装置。
【００９５】
（付記１５）前記繰り出し機構は、複数の吸入口と、前記複数の吸入口から共通の搬送路に前記連続媒体を導く通路と、前記共通の搬送路に設けられた前記カッタと、前記通路で、前記連続媒体をフィードし、且つ保持する搬送部材とを有することを特徴とする付記１４の媒体発行装置。
【産業上の利用可能性】
【００９６】
連続媒体を並列設置し、ガイド機構が、第２の媒体セット部にセットされた連続媒体を、第１の媒体セット部の上又は下部に設けられた発行ユニットの搬送路にスムーズに導くため、連続媒体を斜めにねじるようにガイドするので、媒体発行装置の運用スペースの省スペース化を実現する。
【図面の簡単な説明】
【００９７】
【図１】本発明の一実施の形態の媒体発行装置の外観図である。
【図２】図１の媒体発行装置の斜視図である。
【図３】図１の媒体発行装置の上面図である。
【図４】図１の媒体発行装置の横面図である。
【図５】図１の発行ユニットの構成図である。
【図６】図５の構成の連続紙繰り出し動作の説明図である。
【図７】図５の構成のライト待機位置への搬送動作の説明図である。
【図８】図５の構成の券への磁気記録動作の説明図である。
【図９】図５の構成の券のライトベリファイ動作の説明図である。
【図１０】図１の媒体発行装置の媒体供給ユニットの斜視図である。
【図１１】図１の媒体発行装置のカバー開放時の斜視図である。
【図１２】本発明の一実施の形態の第１の媒体の供給動作の説明図である。
【図１３】本発明の一実施の形態の第２の媒体の供給動作の説明図である。
【図１４】従来技術の上面図である。
【図１５】従来技術の横面図である。
【符号の説明】
【００９８】
１  媒体発行装置
４  排出スタッカ
６  リング搬送機構
７ａ，７ｂ  連続媒体
８ａ，８ｂ  媒体セット部
１０、１１  連続媒体収容箱
１４  繰り出し機構
１６  カッタ
１８  印字機構
２２  リジェクトボックス
２４  記録ヘッド（磁気ヘッド）
３０、３１  吸入口
５０、５０−ａ，５０−ｂ  ガイド板
５２，５３  ガイド棒
５４  導入ガイド
５６  ガイド板
５８  ガイド部
【図１】
2005346195.tif 000003
【図２】
2005346195.tif 000004
【図３】
2005346195.tif 000005
【図４】
2005346195.tif 000006
【図５】
2005346195.tif 000007
【図６】
2005346195.tif 000008
【図７】
2005346195.tif 000009
【図８】
2005346195.tif 000010
【図９】
2005346195.tif 000011
【図１０】
2005346195.tif 000012
【図１１】
2005346195.tif 000013
【図１２】
2005346195.tif 000014
【図１３】
2005346195.tif 000015
【図１４】
2005346195.tif 000016
【図１５】
2005346195.tif 000017